(57)【要約】【課題】  回路数を増加させずに画素数の異なる静止画及び動画を記録することができる画像記録装置を提供する。【解決手段】  操作手段と、撮像した被写体像を光電変換して画像データを得る撮像手段１０１と、操作手段により操作がなされた際、撮像手段により得られた画像データの一部を記憶する記憶手段１０７と、画像データの画素数を変換する変換手段１０２と、得られた動画像データ又は静止画像データをそれぞれ記録する第１及び第２の記録手段１０４とを備え、動画像の記録の際、変換手段は画像データの画素数を動画像に応じた動画像データの画素数に変換し第１の記録手段に記録し、操作手段により操作がなされた場合、操作のタイミングで撮像手段により得られた画像データを記憶手段に記憶し、動画像データのブランキングの間に、記憶した画像データの画素数を変換手段により静止画像に応じた静止画像データの画素数に変換し第２の記録手段に記録する。【選択図】  図１
2006148264.tif 000002
【特許請求の範囲】
【請求項１】
動画像及び静止画像が共に記録可能な画像記録装置であって、
前記動画像の記録を行う際、共に静止画像の記録を行うための操作手段と、
被写体像を撮像し、撮像された前記被写体像を光電変換して画像データを得る撮像手段と、
前記操作手段によって静止画像の記録のための操作がなされた際に、前記撮像手段により得られた前記画像データの一部を記憶する記憶手段と、
前記画像データの画素数を前記動画像又は前記静止画像に応じたそれぞれ所望の動画像データ又は静止画像データの画素数に変換する変換手段と、
前記変換手段により得られた前記動画像データ又は前記静止画像データをそれぞれ記録する第１及び第２の記録手段とを備え、
前記動画像の記録を行う際、前記変換手段は前記画像データの画素数を前記動画像に応じた動画像データの画素数に変換し前記第１の記録手段に記録するとともに、前記操作手段により静止画像の記録を行うための操作がなされた場合は、前記操作がなされたタイミングで前記撮像手段により得られた前記画像データを前記記憶手段に記憶し、前記動画像データのブランキングの間に、前記記憶した画像データの画素数を前記変換手段により前記静止画像に応じた静止画像データの画素数に変換し前記第２の記録手段に記録するようにした画像記録装置。
【発明の詳細な説明】
【技術分野】
【０００１】
本発明は、静止画及び動画を記録することができる画像記録装置に関する。
【背景技術】
【０００２】
近年、ビデオカメラのような動画撮影機器に静止画撮影機能を搭載させた機器が増えている。また、デジタルカメラのような静止画撮影機器に動画撮影機能を搭載させた機器も増えている。これらの機器の中には、静止画と動画とを同時に記録可能なものも存在する。上述したような静止画と動画とを記録できる機器が下記の特許文献１及び２に開示されている。
【特許文献１】特開平１０−１０８１２１号公報（段落００１１、図７）
【特許文献２】特開２００１−２４９２９号公報（段落００１２、図１）
【発明の開示】
【発明が解決しようとする課題】
【０００３】
しかしながら、通常、静止画は刻々と動いて表示される動画に比べて格段の高画質が要求される。そのため、画素数の異なる静止画及び動画を同一の機器に記録するには、静止画及び動画の記録を可能とする回路をそれぞれ設けなければならず、機器のコストが上昇してしまうという問題があった。
【０００４】
本発明は、上記問題を解決するためのものであり、回路数を増加させずに画素数の異なる静止画及び動画を記録することができる画像記録装置を提供することを目的とする。
【課題を解決するための手段】
【０００５】
上記目的を達成するために、本発明によれば、動画像及び静止画像が共に記録可能な画像記録装置であって、前記動画像の記録を行う際、共に静止画像の記録を行うための操作手段と、被写体像を撮像し、撮像された前記被写体像を光電変換して画像データを得る撮像手段と、前記操作手段によって静止画像の記録のための操作がなされた際に、前記撮像手段により得られた前記画像データの一部を記憶する記憶手段と、前記画像データの画素数を前記動画像又は前記静止画像に応じたそれぞれ所望の動画像データ又は静止画像データの画素数に変換する変換手段と、前記変換手段により得られた前記動画像データ又は前記静止画像データをそれぞれ記録する第１及び第２の記録手段とを備え、前記動画像の記録を行う際、前記変換手段は前記画像データの画素数を前記動画像に応じた動画像データの画素数に変換し前記第１の記録手段に記録するとともに、前記操作手段により静止画像の記録を行うための操作がなされた場合は、前記操作がなされたタイミングで前記撮像手段により得られた前記画像データを前記記憶手段に記憶し、前記動画像データのブランキングの間に、前記記憶した画像データの画素数を前記変換手段により前記静止画像に応じた静止画像データの画素数に変換し前記第２の記録手段に記録するようにした画像記録装置が提供される。
【発明の効果】
【０００６】
本発明の画像記録装置は、上記構成を有し、回路数を増加させずに画素数の異なる静止画及び動画を記録することができる。
【発明を実施するための最良の形態】
【０００７】
＜第１の実施の形態＞
以下、本発明の第１の実施の形態について図１及び図２を用いて説明する。図１は本発明の第１の実施の形態に係る画像記録装置の構成を示す図である。図２は本発明の第１の実施の形態に係る画像記録装置における静止画像の読み取りのタイミングを説明するための図である。
【０００８】
まず、本発明の第１の実施の形態に係る画像記録装置について図１を用いて説明する。図１に示すように、画像記録装置１００は、光学系撮像素子１０１、リサイズ部１０２、ＭＰＥＧエンコード部１０３、記録メディア１０４、ＪＰＥＧエンコード部１０５、記録メディア１０６、メモリ１０７、切替スイッチ１０８から構成されている。光学系撮像素子１０１は、不図示の撮影レンズを介して撮像された被写体像を光電変換して動画像データに変換する。光学系撮像素子１０１の画素数は、例えば縦９６０×１２８０程度であり、ＮＴＳＣ（National TV Standards Committee）方式の有効解像度の縦横２倍程度である。
【０００９】
リサイズ部１０２は、光学系撮像素子１０１によって光電変換された動画像データの画素数を動画記録に適した画素数に変換するとともに、記録すべき静止画像がある場合に、動画像データのブランキングの間に静止画像の静止画像データの画素数を静止画記録に適した画素数に変換する。上述した記録すべき静止画像は、例えばユーザによって不図示の操作部を介して指定された動画像データの１画面を静止画像として切り出したものであり、切り出された静止画像は上述したメモリ１０７に格納される。また、ブランキングとは、変換処理が可能であればVブランキングであってもホリゾンタル（水平）ブランキングであっても構わない。以下、ブランキングをVブランキングとして第１の実施の形態から第４の実施の形態を説明する。
【００１０】
ＭＰＥＧエンコード部１０３は、動画記録に適した画素数に変換された動画像データにＭＰＥＧエンコードなどの画像処理を施し、記録メディア１０４に記録する。この記録メディア１０４は、例えばテープ、ディスク、フラッシュメモリ、ハードディスクなどの記録媒体である。なお、記録メディア１０６についても同様である。第１の実施の形態及び後述する第２の実施の形態に係る画像記録装置では、２つの記録メディア１０４及び１０６（２つの記録メディア３０４及び３０６）を設けているが、記録メディアを１つにし、動画像データ及び静止画像データを１つの記録メディアに記録するようにしてもよい。ＪＰＥＧエンコード部１０５は、静止画記録に適した画素数に変換された静止画像データにＪＰＥＧエンコードなどの処理を施し、記録メディア１０６に記録する。切替スイッチ１０８は、動画像データのＶブランキングの間になったときで、メモリ１０７に静止画像がある場合に、静止画像の静止画像データの画素数を静止画記録に適した画素数に変換するため、リサイズ部１０２への入力を切り替える。
【００１１】
次に、本発明の第１の実施の形態に係る画像記録装置における静止画像の読み取りのタイミングについて図２を用いて説明する。図２に示すように、上段には動画信号（動画像データ）が示されており、各データ間にはＶブランキングが存在している。中段にはメモリ１０７への静止画像の書き込みと読み込みのタイミングが示されている。下段にはリサイズ部１０２の動作が示されている。動画像データが存在している間は、リサイズ部１０２は動画像データを動画記録に適した画素数に変換しており、動画像データが存在しない間、すなわちＶブランキングの間、リサイズ部１０２は、メモリ１０７に格納されている静止画像を読み込み、静止画記録に適した画素数に変換する。
【００１２】
＜第２の実施の形態＞
次に、本発明の第２の実施の形態に係る画像記録装置について図３及び図４を用いて説明する。図３は本発明の第２の実施の形態に係る画像記録装置の構成を示す図である。図４は本発明の第２の実施の形態に係る画像記録装置における静止画像の読み取りのタイミングを説明するための図である。
【００１３】
まず、本発明の第２の実施の形態に係る画像記録装置について図３を用いて説明する。本発明の第２の実施の形態に係る画像記録装置の構成要素である光学系撮像素子３０１、リサイズ部３０２、ＭＰＥＧエンコード部３０３、記録メディア３０４、ＪＰＥＧエンコード部３０５、記録メディア３０６、メモリ３０７、切替スイッチ３０８は、第１の実施の形態に係る画像記録装置の各構成要素と同様であるため説明を省略する。本発明の第２の実施の形態に係る画像記録装置３００では、メモリ３０７に格納される静止画像は、動画像データの一部を切り出したものではなく、別に入力された静止画像である。動画像及び静止画像を記録する処理は第１の実施の形態に係る画像記録装置と同様である。
【００１４】
ここで、静止画像のメモリ３０７への書き込みが動画像データのＶブランキングをまたぐ場合の静止画像の読み取りのタイミングについて図４を用いて説明する。図４に示すように、１段目には動画信号（動画像データ）が示されており、各データ間にはＶブランキングが存在している。２段目には静止画像データが示されており、静止画像データがＶブランキングをまたがっている。３段目にはメモリ３０７への静止画像の書き込みと読み込みのタイミングが示されている。４段目にはリサイズ部３０２の動作が示されている。図４に示すように、静止画像データがＶブランキングをまたぐ場合には、静止画像がメモリ３０７に格納された後のＶブランキングの間に、リサイズ部３０２は、メモリ３０７に格納されている静止画像を読み込み、静止画記録に適した画素数に変換する。
【００１５】
＜第３の実施の形態＞
次に、本発明の第３の実施の形態に係る画像記録装置について図５を用いて説明する。本発明の第３の実施の形態に係る画像記録装置５００は、第１及び第２の実施の形態に係る画像記録装置と違い、光学系撮像素子５０１の画素数が動画記録に適した画素数を有する画像記録装置である。このようにすることによって、光学系撮像素子５０１によって光電変換された動画像データは、画素数の変換を行うことなく、ＭＰＥＧエンコード部５０３を介して記録メディア５０４へそのまま記録することができる。一方、メモリ５０７に記録すべき静止画像がある場合には、リサイズ部５０２は、動画像データのVブランキングの間に静止画像の静止画像データの画素数を静止画記録に適した画素数に変換する。変換後の処理に関しては、第１及び第２の実施の形態に係る画像記録装置と同様であるため説明を省略する。
【００１６】
＜第４の実施の形態＞
次に、本発明の第４の実施の形態に係る画像記録装置について図６を用いて説明する。本発明の第４の実施の形態に係る画像記録装置６００は、第１及び第２の実施の形態に係る画像記録装置と違い、光学系撮像素子６０１の画素数が静止画記録に適した画素数を有する画像記録装置である。このようにすることによって、光学系撮像素子６０１によって光電変換された動画像データの画素数は、リサイズ部６０２によって動画記録に適した画素数に変換される。一方、動画像データの一部を切り出した静止画像データであれば、画素数の変換を行うことなく、ＪＰＥＧエンコード部６０５を介して記録メディア６０６へそのまま記録することができる。また、記録しようとする静止画像が、動画像データの一部を切り出した静止画像データではなく、別の系統から受けたものであって、静止画像データの画素数が静止画記録に適した画素数でない場合には、リサイズ部６０２は、動画像データのVブランキングの間に静止画像の静止画像データの画素数を静止画記録に適した画素数に変換する。変換後の処理に関しては、第１及び第２の実施の形態に係る画像記録装置と同様であるため説明を省略する。
【産業上の利用可能性】
【００１７】
本発明に係る画像記録装置は、回路数を増加させずに画素数の異なる静止画及び動画を記録することができるため、静止画及び動画を記録することができる画像記録装置などに有用である。
【図面の簡単な説明】
【００１８】
【図１】本発明の第１の実施の形態に係る画像記録装置の構成を示す図である。
【図２】本発明の第１の実施の形態に係る画像記録装置における静止画像の読み取りのタイミングを説明するための図である。
【図３】本発明の第２の実施の形態に係る画像記録装置の構成を示す図である。
【図４】本発明の第２の実施の形態に係る画像記録装置における静止画像の読み取りのタイミングを説明するための図である。
【図５】本発明の第３の実施の形態に係る画像記録装置の構成を示す図である。
【図６】本発明の第４の実施の形態に係る画像記録装置の構成を示す図である。
【符号の説明】
【００１９】
１００、３００、５００、６００  画像記録装置
１０１、３０１、５０１、６０１  光学系撮像素子（撮像手段）
１０２、３０２、５０２、６０２  リサイズ部（変換手段）
１０３、３０３、５０３、６０３  ＭＰＥＧエンコード部
１０４、１０６、３０４、３０６、５０４、５０６、６０４、６０６  記録メディア（記録手段）
１０５、３０５、５０５、６０５  ＪＰＥＧエンコード部
１０７、３０７、５０７、６０７  メモリ（記憶手段）
１０８、３０８、５０８、６０８  切替スイッチ
【図１】
2006148264.tif 000003
【図２】
2006148264.tif 000004
【図３】
2006148264.tif 000005
【図４】
2006148264.tif 000006
【図５】
2006148264.tif 000007
【図６】
2006148264.tif 000008